(57)【要約】【課題】本発明は、広帯域移動通信システムで効率的なリンク適応技法に対するものである。【解決手段】ＡＭＣ技法を適用するにおいて、サービス種類やチャネル環境によってＭＣＳセットの使用範囲を移動局に割り当てられた全範囲または一部の範囲に決定することで、フィードバックオーバーヘッドを減少させる一方、ダウンリンク電力制御技法と連動して効率的なリンク適応を遂行する。本発明は、移動通信システムで適応的変調及び符号化（ＡＭＣ：Ａｄａｐｔｉｖｅ  ｍｏｄｕｌａｔｉｏｎ  ａｎｄ  ｃｏｄｉｎｇ）技法を行う方法を提供する。【選択図】図１
2010517464.tif 000002
【特許請求の範囲】
【請求項１】
移動通信システムで適応的変調及び符号化（ＡＭＣ：Ａｄａｐｔｉｖｅ  ｍｏｄｕｌａｔｉｏｎ  ａｎｄ  ｃｏｄｉｎｇ）技法を行う方法において、
移動局で基地局から受信されたパイロット信号を通してチャネル状態を測定する段階と、
前記測定されたチャネル状態を考慮して、ＭＣＳサブセットから所定個数のＭＣＳ（Ｍｏｄｕｌａｔｉｏｎ  ａｎｄ  Ｃｏｄｉｎｇ  Ｓｅｌｅｃｔｉｏｎ）レベルのうち第１ＭＣＳレベルを選択する段階と、
前記第１ＭＣＳレベルを前記基地局に伝送する段階と、を含む、ＡＭＣ技法遂行方法。
【請求項２】
前記ＭＣＳサブセットを構成する前記ＭＣＳレベルは、既に設定されたＭＣＳセットに含まれることを特徴とする、請求項１に記載のＡＭＣ技法遂行方法。
【請求項３】
前記方法は、
前記基地局から、前記第１ＭＣＳレベルを考慮して前記ＭＣＳセットから選択され、第２ＭＣＳレベルが適用されたデータを受信する段階と、
前記ＭＣＳセットから確認された前記第２ＭＣＳレベルを用いて前記データを復元する段階と、をさらに含むことを特徴とする、請求項２に記載のＡＭＣ技法遂行方法。
【請求項４】
前記ＭＣＳサブセットと電力制御ファクターが一緒に適用されることを特徴とする、請求項１に記載のＡＭＣ技法遂行方法。
【請求項５】
前記ＭＣＳサブセットのＭＣＳ単位情報は、ＭＣＳセットのＭＣＳ単位情報より大きいことを特徴とする、請求項１に記載のＡＭＣ技法遂行方法。
【請求項６】
前記ＭＣＳサブセットは、ＭＣＳセットのＭＣＳレベルのうち特定のコーディング方式及び／または特定のコーディング率を有するＭＣＳレベルで構成されることを特徴とする、請求項１に記載のＡＭＣ技法遂行方法。
【請求項７】
前記ＭＣＳサブセットは、一つ以上のＭＣＳサブセットからチャネル状況や割り当てられた資源状況によって適応的に選択されることを特徴とする、請求項１に記載のＡＭＣ技法遂行方法。
【請求項８】
ＭＣＳセットに基づいて割り当てられたアップリンクフィードバック情報ビットの少なくとも一部は、前記第１ＭＣＳレベルを伝送するときに用いられることを特徴とする、請求項１に記載のＡＭＣ技法遂行方法。
【請求項９】
移動通信システムで適応的変調及び符号化（ＡＭＣ：Ａｄａｐｔｉｖｅ  ｍｏｄｕｌａｔｉｏｎ  ａｎｄ  ｃｏｄｉｎｇ）技法を行う方法において、
基地局で移動局からＭＣＳサブセットで所定個数のＭＣＳ（Ｍｏｄｕｌａｔｉｏｎ  ａｎｄ  Ｃｏｄｉｎｇ  Ｓｅｌｅｃｔｉｏｎ）レベルから選択された第１ＭＣＳレベルに対する情報を受信する段階と、
前記第１ＭＣＳレベルを考慮して、ＭＣＳセットで所定個数のＭＣＳレベルのうち第２ＭＣＳレベルを選択する段階と、
前記第２ＭＣＳレベルによるデータをプロセシングする段階と、
前記データを前記移動局に伝送する段階と、を含む、ＡＭＣ技法遂行方法。
【請求項１０】
前記ＭＣＳサブセットを構成する前記ＭＣＳレベルは、既に設定されたＭＣＳセットに含まれることを特徴とする、請求項９に記載のＡＭＣ技法遂行方法。
【請求項１１】
前記ＭＣＳサブセットは、電力制御ファクターと一緒に用いられることを特徴とする、請求項９に記載のＡＭＣ技法遂行方法。
【請求項１２】
前記ＭＣＳサブセットのＭＣＳ単位情報は、ＭＣＳセットのＭＣＳ単位情報より大きいことを特徴とする、請求項９に記載のＡＭＣ技法遂行方法。
【請求項１３】
前記ＭＣＳサブセットは、ＭＣＳセットのＭＣＳレベルのうち特定のコーディング方式及び／または特定のコーディング率を有するＭＣＳレベルで構成されることを特徴とする、請求項９に記載のＡＭＣ技法遂行方法。
【請求項１４】
前記ＭＣＳサブセットは、一つ以上のＭＣＳサブセットからチャネル状況及び／または割り当てられた資源状況によって適応的に選択されることを特徴とする、請求項９に記載のＡＭＣ技法遂行方法。
【請求項１５】
ＭＣＳセットに基づいて割り当てられたアップリンクフィードバック情報ビットの少なくとも一部は、前記第１ＭＣＳレベルを伝送するときに用いられることを特徴とする、請求項９に記載のＡＭＣ技法遂行方法。
【発明の詳細な説明】
【技術分野】
【０００１】
本発明は、移動通信システムに関するもので、より具体的には、移動通信システムで適応的変調及び符号化技法を行う方法に関するものである。
【背景技術】
【０００２】
高速マルチメディアデータ通信サービスは、音声通話中心のサービス方式と異なり、受信機にデータパケットが一定に到着せずに間欠的に伝送されるという特性を有する。したがって、突然に多量のパケットが到着する場合があり、多数の使用者に対してパケットサービスを提供するためには、時間、符号及び電力などの資源を共有しなければならない。
【０００３】
そして、パケットと次のパケットとの間のチャネル条件が変わるので、既存の電力制御をそのまま適用することが難しい。また、高速マルチメディアデータ通信サービスでは、既存の音声通話サービス方式に比べて相対的に多量のデータが送受信期間に送受信されるので、高次元の変調方式、多様なダイバーシティ技法及びエラー訂正符号技法が使用される。このうち、データパケット間のチャネル条件変動に対応するための既存のリンク適応技法に対して説明する。
【０００４】
アップリンク／ダウンリンクのチャネルが周波数領域に分離された場合、アップリンク／ダウンリンクのチャネルは互いに異なる。したがって、一般的なリンク適応技法は、送信機と受信機がチャネル情報を取り交わすことで、このチャネル情報に最も適した送受信技法を適用するもので、既存の代表的なリンク適応技法は適応的変調及び符号化（Ａｄａｐｔｉｖｅ  ｍｏｄｕｌａｔｉｏｎ  ａｎｄ  ｃｏｄｉｎｇ；以下、ＡＭＣという。）及び電力制御技法である。
【０００５】
電力制御技法は、無線リンクによって電力を制御することで伝送品質を維持させる方法で、音声通話サービスのように固定された伝送率状況でリンクの品質を保障するための方式である。その反面、マルチメディアデータサービスは、サービスの種類によって多様な伝送率、多様な伝送品質などを要求するので、既存の音声中心のサービスの場合と異なる概念のリンク適応技法が要求される。ＡＭＣ技法は、このようなマルチメディアデータ伝送に効率的なリンク適応技法として、伝送電力でない伝送率をチャネル環境に合わせて変化させる方式である。電力制御の場合、固定された目標信号対干渉比（Ｓｉｇｎａｌ−ｔｏ−Ｉｎｔｅｒｆｅｒｅｎｃｅ  Ｒａｔｉｏ；以下、ＳＩＲという。）を得るために伝送電力をチャネルによって変化させる。
【０００６】
その反面、ＡＭＣは、チャネルの特性によって適切な伝送率を決定するので、基本的に伝送電力が固定される。伝送率は、ＭＣＳ（Ｍｏｄｕｌａｔｉｏｎ  ａｎｄ  Ｃｏｄｉｎｇ  Ｓｅｌｅｃｔｉｏｎ）レベルによって決定されるが、ＭＣＳは、予め定義された変調及びチャネル符号化組み合わせに対するレベルである。ＭＣＳレベルは、受信ＳＩＲによって決定されるが、ＳＩＲによって目標フレームエラー率を満足しながら最も高い効率を表すレベルが選択される。ＡＭＣの支援のためには、移動局の受信ＳＩＲに対する情報を基地局が知るべきであり、このために、移動局は、チャネル品質情報を基地局に伝達すべきである。
【０００７】
例えば、ＡＭＣ技法が適用されたＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線パケットサービスである高速ダウンリンクパケット接続サービス（Ｈｉｇｈ  Ｓｐｅｅｄ  Ｄｏｗｎｌｉｎｋ  Ｐａｃｋｅｔ  Ａｃｃｅｓｓ；以下、ＨＳＤＰＡという。）では、各端末がダウンリンクパイロットチャネル状況の最も良好な基地局を選択し、該当のチャネル状況に適した変調及び符号化情報をフィードバックするために高速専用物理制御チャネル（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ；以下、ＨＳ−ＤＰＣＣＨという。）を使用するが、このチャネルにチャネル品質指示（Ｃｈａｎｎｅｌ  Ｑｕａｌｉｔｙ  Ｉｎｄｉｃａｔｉｏｎ；以下、ＣＱＩという。）ビットが割り当てられる。このＣＱＩビットは、受信機がチャネルの状況を知らせるためにフィードバックする情報として、ＭＣＳレベルを表すこともでき、単純に信号対雑音比（Ｓｉｇｎａｌ  ｔｏ  Ｎｏｉｓｅ  Ｒａｔｉｏ；以下、ＳＮＲという。）を表すこともできる。したがって、ＣＱＩのビット情報量によって、送受信機が使用するＭＣＳレベルの個数が異なっている。
【０００８】
一例として、下記の表１のようなＭＣＳセットを使用する場合には、最小５ビット以上になったときに全ての場合のＭＣＳセットを適用することができる。この場合、ＭＣＳセットは、総３２個のＭＣＳレベルを有し、１０進数で表現された０から３１までのそれぞれの変調及び符号化方式の組み合わせをＭＣＳインデックスまたはＣＱＩインデックスという。
【０００９】
例えば、フィードバックされたＣＱＩビットが０１０００であると、これは、総３２個のＭＣＳレベルを有するＭＣＳセットのうちＭＣＳインデックスが８であるＭＣＳレベルを表す。このとき、基地局が、前記フィードバック情報によって７／８の符号化率、ＱＰＳＫ変調方式を選択することで、移動局にデータを伝送することを意味する。すなわち、システムは、受信機がフィードバックしたチャネル情報またはＭＣＳインデックス情報（一例としてＣＱＩ）を用いて、予め設定されたＭＣＳセットのうちチャネル状況に適したＭＣＳレベルを選択する。
【００１０】
【表１−１】
2010517464.tif 000003
【００１１】
【表１−２】
2010517464.tif 000004
【００１２】
一般的に、このような基地局と移動局との間のチャネル情報を共有するためのＣＱＩ情報は、アップリンク／ダウンリンク間のチャネルが異なる周波数分割デュプレクシング（Ｆｒｅｑｕｅｎｃｙ  Ｄｉｖｉｓｉｏｎ  Ｄｕｐｌｅｘｉｎｇ；以下、ＦＤＤという。）システムに主に使用され、このようにフィードバックされたＣＱＩ情報は、ＭＣＳレベル決定及び基地局のスケジューリングに使用される。前記チャネル情報またはＭＣＳインデックス情報は、一定の時間周期にフィードバックされるか、基地局または移動局の要請があるときにフィードバックされ、信頼性を高めるためにエラー訂正符号（Ｅｒｒｏｒ  ｃｏｒｒｅｃｔｉｏｎ  ｃｏｄｅ；以下、ＥＣＣという。）などを用いて伝送される。送信機は、受信機のフィードバックを勘案して選択したＭＣＳレベルをダウンリンクを通して再び受信機に知らせる。
【００１３】
直交周波数分割多重化システム（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；以下、ＯＦＤＭという。）では、周波数バンドによって異なるチャネルを有する場合があり、周波数バンドによって異なるＭＣＳを適用することができるので、一定の周波数バンド単位でチャネル情報をフィードバックしてリンク適応技法を適用する。
【００１４】
また、多重アンテナ技法を適用したシステムでは、空間的に伝送される信号ごとに異なるＭＣＳレベルを適用することができるので、空間別にチャネル情報をフィードバックすることもある。既存のＡＭＣ技法は、チャネル状況によって適応的ＭＣＳレベルを使用する技法として、システムと移動局との間の一つのＭＣＳセットを固定して使用するようになる。したがって、常に同一量のチャネル情報がフィードバックされ、送信機もダウンリンクを通して選択したＭＣＳレベルを知らせるようになる。
【００１５】
したがって、移動局の遅い移動速度によってチャネルがゆっくり変わり、ＡＭＣを通してチャネル状況を充分に考慮したＭＣＳレベルを使用できる場合には、ＭＣＳ単位情報の小さいＭＣＳセットが各受信ＳＮＲ別に適したＭＣＳレベルを適用することができ、より高いシステム性能を得ることができる。また、これに適した多重アンテナ技法であるビームフォーミング、プリコーディングなどの閉ループ多重アンテナ技法を使用することができる。
【００１６】
しかしながら、移動局の速い移動速度によってチャネルが速く変わる場合、またはＣＱＩ情報を除いたフィードバック情報を必要としないダイバーシティ技法などの開ループシステムでは、受信時に測定したチャネル情報が大いに変わる可能性が大きいので、ＭＣＳ単位情報が小さいと、システムが速い時間内に必要な伝送率でデータを伝送できないことも発生する。したがって、ＭＣＳ単位情報を１ｄＢ間隔より大きくする必要がある。
【００１７】
また、高速無線データサービスでは、上述したように、その特性上、速いデータ処理が要求される。例えば、ＷＣＤＭＡのＨＳＤＰＡでは、ＡＭＣとハイブリッド自動再伝送要請（Ｈｙｂｒｉｄ  Ａｕｔｏｍａｔｉｃ  Ｒｅｐｅａｔ  Ｒｅｑｕｅｓｔ；以下、ＨＡＲＱという。）などを効率的に運用するために、これを管理して制御する部分が無線インターフェースの近くに位置すべきである。既存の音声中心の通信では、データのスケジューリングを担当する部分が無線ネットワーク制御器（Ｒａｄｉｏ  Ｎｅｔｗｏｒｋ  Ｃｏｎｔｒｏｌｌｅｒ；以下、ＲＮＣという。）に位置するので、処理時間の遅延が発生した。
【００１８】
このような理由で、チャネル環境の変化に適切に対応し、効率性を高める方法が必要である。また、高速データによるシステムの複雑度を減少させるために、移動局のフィードバックオーバーヘッドを減少させる必要性がある。これは、マルチキャストトラフィックの場合にも同様である。
【発明の概要】
【発明が解決しようとする課題】
【００１９】
本発明は、上記のような必要性を勘案して提案されたもので、その目的は、より効率的に移動通信システムでＡＭＣ技法を行う方法を提供することにある。
【課題を解決するための手段】
【００２０】
上述した背景技術において、本発明の一実施様態である移動通信システムでＡＭＣ技法を行う方法は、移動局で基地局から受信されたパイロット信号を通してチャネル状態を測定する段階と、前記測定されたチャネル状態を考慮して所定個数のＭＣＳレベル集合であるＭＣＳサブセットから第１ＭＣＳレベルを選択する段階と、前記第１ＭＣＳレベルに対する情報を前記基地局にフィードバックする段階とを含む。
【００２１】
前記ＭＣＳサブセットを構成する前記所定個数のＭＣＳレベルは、既に設定されたＭＣＳセットに含まれることを特徴とする。
【００２２】
そして、前記方法は、前記基地局から、前記第１ＭＣＳレベルを考慮して前記ＭＣＳセットから選択され、第２ＭＣＳレベルが適用されたデータを受信する段階と、前記ＭＣＳセットを通して前記第２ＭＣＳレベルを確認し、これを用いて前記データを復元する段階とをさらに含むことができる。
【００２３】
また、前記ＭＣＳサブセットは電力制御ファクターと一緒に適用される。
【００２４】
一方、前記ＭＣＳサブセットは、前記ＭＣＳセットのＭＣＳ単位情報より大きいＭＣＳ単位情報を有するように構成される。
【００２５】
また、前記ＭＣＳサブセットは、前記ＭＣＳセットを構成するＭＣＳレベルのうち特定の変調方式または特定のコーディング率を有するＭＣＳレベルで構成される。
【００２６】
また、前記ＭＣＳサブセットは、一つ以上のＭＣＳサブセットからチャネル状況や割り当てられた資源状況によって適応的に選択される。
【００２７】
このとき、前記一つ以上のＭＣＳサブセットは、前記移動局と関連したサービスタイプまたは前記基地局と通信する移動局タイプを考慮して構成される。
【００２８】
そして、前記フィードバック段階において、ＭＣＳセットを基準にして割り当てられたアップリンクフィードバック情報の全部または一部を使用することができる。
【００２９】
本発明の他の実施様態である、移動通信システムでＡＭＣ技法を行う方法は、基地局で、移動局から所定個数のＭＣＳレベル集合であるＭＣＳサブセットから選択された第１ＭＣＳレベルに対する情報を受信する段階と、前記第１ＭＣＳレベルを考慮して、所定個数のＭＣＳレベル集合であるＭＣＳセットから第２ＭＣＳレベルを選択する段階と、前記第２ＭＣＳレベルが適用されたデータを前記移動局に伝送する段階とを含む。
【００３０】
前記ＭＣＳサブセットを構成する前記所定個数のＭＣＳレベルは、前記ＭＣＳセットに含まれることを特徴とする。
【００３１】
一方、前記ＭＣＳサブセットは、電力制御ファクターと一緒に適用される。
【００３２】
前記ＭＣＳサブセットは、前記ＭＣＳセットのＳＮＲ単位情報より大きいＳＮＲ単位情報を有するように構成される。
【００３３】
また、前記ＭＣＳサブセットは、前記ＭＣＳセットを構成するＭＣＳレベルのうち特定の変調方式または特定のコーディング率を有するＭＣＳレベルで構成される。
【００３４】
また、前記ＭＣＳサブセットは、一つ以上のＭＣＳサブセットからチャネル状況や割り当てられた資源状況によって適応的に選択される。
【００３５】
このとき、前記一つ以上のＭＣＳサブセットは、前記移動局と関連したサービスタイプまたは前記基地局と通信する移動局タイプを考慮して構成される。
【００３６】
そして、前記第１ＭＣＳレベルに対する情報を伝送するとき、前記ＭＣＳセットを基準にして割り当てられたアップリンクフィードバック情報の全部または一部を使用することができる。
【００３７】
上述した一般的な説明と以下の本発明に関する詳細な説明は実施例に過ぎなく、請求されたように本発明のより多くの説明を含む。
【発明の効果】
【００３８】
本発明に係る無線通信システムでのアップリンクフィードバックによるダウンリンクＡＭＣ技法を適用するとき、ＭＣＳサブセット使用方法によると次のような効果がある。
【００３９】
第一に、システムにフィードバックされる情報の量が少なくなり、システムの多重使用者接続時の複雑度を減少させることができる。
【００４０】
第二に、一つのシステムが多数個のＭＣＳセットを有し、ＭＣＳセットがＭＣＳサブセットで構成されていると、システムの複雑度を減少させ、最適の性能を得ることができる。
【００４１】
第三に、使用者利用サービスの種類及び移動局の移動速度に適したＭＣＳサブセットを適用することで、チャネル変化などにより一層適応的に対応することができる。
【００４２】
第四に、ＡＭＣ技法でのＭＣＳサブセット使用と電力制御とを連動し、使用者利用サービスの種類及び移動局の移動速度などによるチャネル変化により一層適応的に対応することができる。
【図面の簡単な説明】
【００４３】
【図１】本発明の一実施例に係るＭＣＳサブセットを用いたＡＭＣ技法の適用方法を説明するためのフローチャートである。
【発明を実施するための形態】
【００４４】
以下、本発明に係る好適な実施形態を添付された図面を参照して詳細に説明する。添付された図面と一緒に以下で開示される詳細な説明は、本発明の例示的な実施形態を説明するためのもので、本発明が実施される唯一の実施形態を表すものではない。
【００４５】
本発明は、基地局と移動局との間にＡＭＣ技法を適用するために定めたＭＣＳセットのうち一定の部分を含むＭＣＳサブセットを使用することを特徴とする。このとき、ＭＣＳサブセットは、一つのＭＣＳセットまたはそれ以上のＭＣＳセットの一部として定義されて使用される。
【００４６】
本発明によると、基地局または移動局は、ＭＣＳセット及び／またはＭＣＳサブセットを使用してＡＭＣ技法を適用することができる。例えば、移動局で基地局から伝送された信号、例えば、パイロット信号を通してチャネル状態を測定した後、ＭＣＳセット及び／またはＭＣＳサブセットから適切なＭＣＳレベルを選択し、これをチャネル品質情報として基地局にフィードバックすることができる。基地局は、移動局からのＭＣＳセット及び／またはＭＣＳサブセットを使用してフィードバック情報を確認し、その確認結果をデータ送信に適用することができる。
【００４７】
特に、高速データによるシステムの複雑度を減少させるために移動局のフィードバックオーバーヘッドを減少させる点を考慮すると、移動局は、ＭＣＳセットより少ないフィードバックビット数を要求するＭＣＳサブセットを使用してチャネル情報を伝送することが好ましい。
【００４８】
移動局がＭＣＳサブセットを使用してＭＣＳレベルをチャネル情報としてフィードバックする場合、基地局は、受信されたチャネル情報をＭＣＳサブセットを通して確認することができる。また、確認されたＭＣＳレベルをデータに適用するにおいて、フィードバック情報、すなわち、ＭＣＳサブセットから選択されたＭＣＳレベルの変調方式及びエラー訂正符号の符号化方式のうち少なくとも一つを考慮して適用することができる。
【００４９】
このとき、移動局がＭＣＳサブセットを使用してＭＣＳレベルをフィードバックすることを、別途のアップリンク信号を通して知らせることもできるが、システムは、移動局がＭＣＳサブセットを使用してフィードバックすることを既に設定して使用することもできる。
【００５０】
図１は、本発明の一実施例に係るＭＣＳサブセットを用いたＡＭＣ技法の適用方法を説明するためのフローチャートである。
【００５１】
本実施例によると、まず、段階Ｓ１００では、移動局が基地局からパイロット信号を受信し、段階Ｓ１０１では、受信されたパイロット信号に基づいて移動局と基地局との間のチャネル品質を測定する。例えば、この段階でチャネル状況または割り当てられた資源を把握することができる。移動局は、把握したチャネル状況または割り当てられた資源を用いて、段階Ｓ１０２で、ＭＣＳセット及び／またはＭＣＳサブセットからＭＣＳレベルを選択することができる。そして、段階Ｓ１０３では、選択されたＭＣＳレベル情報を含むチャネル品質情報を基地局にフィードバックする。特に、図１は、移動局がＭＣＳサブセットからＭＣＳレベルを選択する場合を示している。上述したように、アップリンク制御情報オーバーヘッド利得のためには、移動局がＭＣＳサブセットを使用することが好ましい。
【００５２】
そして、段階Ｓ１０４で、基地局は、移動局からのフィードバック情報を用いて、移動局がＭＣＳセット及び／またはＭＣＳサブセットから選択したＭＣＳレベルを確認する。そして、段階Ｓ１０５では、ＭＣＳセット及び／またはＭＣＳサブセットからＭＣＳレベルを選択し、このときには、フィードバックを通して受信された移動局が選択したＭＣＳレベルを反映することができる。
【００５３】
特に、図１は、基地局がＭＣＳセットからＭＣＳレベルを選択する場合を示している。そして、段階Ｓ１０６では、選択されたＭＣＳレベルをデータに適用し、段階Ｓ１０７では、このデータを移動局に伝送する。このとき、ＭＣＳセット及び／またはＭＣＳサブセットまたはＭＣＳレベル情報を移動局に伝送することもできる。
【００５４】
ただし、基地局がＭＣＳセットから選択されたＭＣＳレベルを適用してデータを伝送した場合、移動局は、段階Ｓ１０８で、ＭＣＳセットを通してデータに適用されたＭＣＳレベルを確認し、段階Ｓ１０９では、確認されたＭＣＳレベルによって、受信されたデータを復元することができる。
【００５５】
一方、基地局は、ＭＣＳセットとＭＣＳサブセットを一緒に使用するが、ＭＣＳセットは送信用として基地局からのデータ伝送時に使用し、ＭＣＳサブセットは、受信用として移動局からのフィードバック情報を確認するときに使用することができる。これは、基地局よりも移動局の制御情報、すなわち、フィードバックオーバーヘッド減少がさらに要求されるためである。
【００５６】
以下、このような本発明を実施する多様な実施例に対して説明する。
【００５７】
実施例１：適応的にＭＣＳセット及び／またはＭＣＳサブセットを使用
本実施例による無線通信システムでの適応的変調及び符号化技法遂行方法では、ＭＣＳサブセットを用いる場合、基地局は、一つまたはそれ以上のＭＣＳセットから一つ以上のＭＣＳサブセットを使用可能なＭＣＳサブセットの範囲に設定し、そのうちチャネル状況、割り当てられた資源状況、移動局の受信機種類によって適切なＭＣＳサブセットを一つ選択して使用することができる。
【００５８】
また、移動局は、一つ以上のＭＣＳサブセットを使用可能なＭＣＳサブセットの範囲に設定し、そのうちチャネル状況、割り当てられた資源状況または移動局の受信機タイプに適したＭＣＳサブセットを一つ選択し、選択されたものをフィードバックのために使用することもできる。すなわち、基地局と移動局は、多様な通信環境または多様な通信システムによって多数個のＭＣＳセットまたは多数個のＭＣＳサブセットのうち使用しようとするＭＣＳセットまたはＭＣＳサブセットを選択することで、適応的に一つ以上のＭＣＳセットまたは一つ以上のＭＣＳサブセットを使用することを特徴とする。
【００５９】
例えば、マルチキャストトラフィックの場合、システムの観点で見るとき、大きいフィードバックオーバーヘッドが存在すると、相対的に小さいフィードバックオーバーヘッドを有するＭＣＳサブセットを用いることが好ましい。そして、ユニキャストトラフィックの場合、システム観点で見るとき、小さいフィードバックオーバーヘッドが存在すると、相対的に大きいフィードバックオーバーヘッドを有するＭＣＳセットを用いることが好ましい。
【００６０】
他の実施例として、ＯＦＤＭ方式の無線通信システムの場合、一定の大きさに周波数帯域を分け、分けられた部分にそれぞれのチャネル情報をフィードバックする。また、ＯＦＤＭ方式では、各使用者のデータマッピング方式によって異なる形態のＭＣＳセットを使用することもできる。そして、ＯＦＤＭ方式のうち局部モード（ｌｏｃａｌｉｚｅｄ  ｍｏｄｅ）の場合には全体のＭＣＳレベルを使用し、分散モード（ｄｉｓｔｒｉｂｕｔｅｄ  ｍｏｄｅ）の場合にはＭＣＳサブセットを使用することができる。したがって、受信側で、分散モードでのＣＱＩフィードバックオーバーヘッドが局部モードでのＣＱＩフィードバックオーバーヘッドより少なくなる。
【００６１】
さらに、多重アンテナ方式を使用するＯＦＤＭシステムに含まれる多重アンテナシステムの場合、複数のアンテナまたは空間チャネルが存在しており、別個の異なるＭＣＳレベルは、多重アンテナ方式を考慮する各アンテナまたは空間チャネルに対する使用者である。例えば、ＭＣＳセットは、低速利用者またはフィードバック情報が必要なビームフォーミング、プリコーディングなどの多重アンテナ方式を使用する閉ループシステムに使用される。その反面、ＭＣＳサブセットは、高速利用者またはＣＱＩを除いたフィードバック情報が必要でないダイバーシティなどの方式を使用する開ループシステムに使用される。
【００６２】
この場合、システムは、利用者、周波数チャネル部分、空間チャネルまたはアンテナに対してＭＣＳレベルの移動局を知らせることができる。ここで、ＭＣＳレベルは、基地局によって移動局から基地局にフィードバックされるチャネル情報を使用することで、ダウンリンクを通したＭＣＳセットまたはＭＣＳサブセットから選択される。
【００６３】
実施例２：ＭＣＳサブセット構成方法
本発明に係るＭＣＳサブセットは多様な方法で構成される。上述したように、ＭＣＳサブセットは、一つのＭＣＳセットまたはそれ以上のＭＣＳセットの一部として定義することで使用することができる。この方法によると、ＭＣＳサブセットを構成するＭＣＳレベルの全てが一つのＭＣＳセットまたはそれ以上のＭＣＳセットに含まれる。以下、ＭＣＳサブセット構成方法に対する多様な実施例を説明する。
【００６４】
実施例２−１：変調方式によるＭＣＳサブセット構成方法
本実施例に係るＭＣＳサブセット構成方法によると、変調方式別にＭＣＳサブセットを設定することができる。すなわち、ＭＣＳセット内に多様な変調方式に対するＭＣＳレベルが含まれる場合、同一の変調方式を適用するＭＣＳレベルを一つのＭＣＳサブセットとして構成することができる。例えば、ＢＰＳＫ、ＱＰＳＫ、８ＰＳＫ、８ＱＡＭ、１６ＱＡＭでＭＣＳサブセットを設定することができる。以下、表２は、５ビット大きさのＭＣＳセットで変調方式によってＭＣＳサブセットを構成する方法の一例を表す。
【００６５】
【表２−１】
2010517464.tif 000005
【００６６】
【表２−２】
2010517464.tif 000006
【００６７】
表２のＭＣＳセットに表したように、ダウンリンクデータ送信のためにＱＰＳＫ、１６ＱＡＭ、６４ＱＡＭを使用することができる。このとき、ＭＣＳセットのうち特定の変調方式（例えば、６４ＱＡＭ）に対するＭＣＳレベルを含むようにサブセットを構成することができる。例えば、ＭＣＳセットは、６４ＱＡＭの特定の変調方式のＭＣＳレベルを含むＭＣＳサブセット３を構成することができる。そして、特定のチャネル状況、サービス種類、移動局の種類、使用するダウンリンクチャネルによってＭＣＳサブセットを選択して使用することができる。
【００６８】
また、特定のチャネル状況、サービス種類、移動局の種類、使用するダウンリンクチャネルによって、特定の変調方式（例えば、６４ＱＡＭ）を除いた残りのＭＣＳレベルでサブセットを構成することもできる。
【００６９】
この場合、移動局は、特定の変調方式（６４ＱＡＭ）によって変調されたデータを受信しないので、受信機の複雑度を低下させることができる。そして、特定のチャネル状況である場合、チャネル推定性能が良好でないので、チャネル推定性能に敏感な１６ＱＡＭまたは６４ＱＡＭの変調方式を使用しないことで、ロバストなデータ送受信が可能になる。これと同様に、エラー訂正符号化方式での符号化方式や符号率でＭＣＳサブセットを設定することもできる。
【００７０】
実施例２−２：ＳＮＲ単位情報を用いたＭＣＳサブセット構成方法
本実施例に係るＭＣＳサブセット構成方法によると、ＳＮＲ単位情報をＭＣＳセットと異なるように使用することでＭＣＳサブセットを構成することができる。ここで、ＳＮＲ単位情報とは、ＭＣＳセット内のＭＣＳレベルを一定のＳＮＲ間隔で定義して使用するとき、このＳＮＲ間隔を意味する。
【００７１】
例えば、−５ｄＢから２３ｄＢまで１ｄＢ間隔で３２個のＭＣＳレベルを有する形態でＭＣＳセットを構成すると、最小５ビットのチャネル情報フィードバックを用いてＭＣＳセットの全てのＭＣＳレベルを決定できるようになる。このとき、ＭＣＳセットのＳＮＲ単位情報は１ｄＢといえる。ＳＮＲ値またはＳＮＲ値を使用して発生したチャネル値は、チャネル品質情報（ＣＱＩＩ）として伝送される。
【００７２】
本実施例に係るＭＣＳサブセット構成方法は、一定のｋ単位のｄＢ間隔で作られたＭＣＳセットを使用するとき、ｋより大きい単位の一定のｄＢ間隔で作られたＭＣＳサブセットを構成することができる。したがって、ＭＣＳセットのＳＮＲ単位情報が１ｄＢである場合、ＭＣＳサブセットのＳＮＲ単位情報は、１ｄＢでない、より大きい値ｋ（＞１）で使用することが好ましい。
【００７３】
すなわち、基地局と移動局が利用可能なＭＣＳセットの最大のＭＣＳレベル個数を適用する場合、ＭＣＳ単位情報は、前記最大個数を基準にして１ｄＢである。しかしながら、ＭＣＳサブセットは、ＭＣＳセット内の全てのＭＣＳレベルを使用するのでなく、システムや移動局が一部のＭＣＳレベルのみを使用するように決定することで、ＭＣＳ単位情報を１レベル以上にする。
【００７４】
これを送信チャネルＳＮＲ観点で見ると、次の段階のＭＣＳレベルを選択するとき、ＳＮＲ単位情報も１ｄＢの基準単位より大きくなる。一例として、前記送信ＳＮＲ設定例で送信ＳＮＲを−５ｄＢから２３ｄＢまで１ｄＢ間隔で送っていたが、２ｄＢ以上の間隔で送れるようになる。ＭＣＳサブセットのＳＮＲ単位情報は２ｄＢになる。
【００７５】
このようなＳＮＲ単位情報を用いたＭＣＳサブセット構成方法は、フィードバックされるチャネル品質情報に対するビット表現式で最下位ビットから連続した一部のビットが同一である場合を、ＭＣＳサブセットとして構成することで具現することができる。
【００７６】
表３は、５ビット大きさのＭＣＳセットでＳＮＲ単位情報を用いてＭＣＳサブセットを構成する方法の一例を表す。ＳＮＲ単位情報は、ＣＱＩ単位情報またはＭＣＳ単位情報といえる。例えば、表３を参照すると、ＭＣＳ単位情報は、ＭＣＳセットで最小単位情報として１ＭＣＳレベルに定義される。そして、ＭＣＳサブセット１でＭＣＳ単位情報は２ＭＣＳレベルに定義される。
【００７７】
【表３−１】
2010517464.tif 000007
【００７８】
【表３−２】
2010517464.tif 000008
【００７９】
表３では、移動局のアップリンクチャネルにフィードバックされるＣＱＩビットのＭＳＢ（Ｍｏｓｔ  Ｓｉｇｎｉｆｉｃａｎｔ  Ｂｉｔ）からの一定のビット部分を除いた残りのビットが同一であるＣＱＩインデックスの集合としてサブセットを決定した方法を表す。
【００８０】
表３のサブセット１（Ｓｕｂｓｅｔ１）を参照すると、ＭＣＳサブセットは、ＭＣＳセットのＭＣＳレベルのうちＭＣＳレベルインデックスの最小限に重要なビットから同一の１ビットを有し、ＭＣＳサブセットのＭＣＳレベルインデックスに使用されるＭＣＳレベルインデックスの最も重要なビットから他の４ビットを有するＭＣＳレベルを含むように構成される。したがって、総１６ＭＣＳレベルがＭＣＳサブセットに含まれることを確認することができ、４ビットは、フィードバック情報のみに対して要求される。ＭＣＳレベルインデックスがＣＱＩのみに用いられると、ＣＱＩは次のように４ビットとして表すことができる。
【００８１】
ＣＱＩ  ｉｎｄｅｘ：ＸＸＸＸ０
これは、−５ｄＢから２３ｄＢまでの送信ＳＮＲ範囲を有する例の場合には、送信ＳＮＲ単位情報を基準にして２ｄＢずつ差が出るようになる。
【００８２】
これと同様に、表３のサブセット２（Ｓｕｂｓｅｔ２）を参照すると、ＭＣＳサブセットは、ＭＣＳセットのＭＣＳレベルのうちＭＣＳレベルインデックスの最小限に重要なビットから同一の２ビットを有するＭＣＳレベルを含むように構成される。したがって、総８ＭＣＳレベルがＳＲＮ単位情報を基準にして４ｄＢを有するＭＣＳサブセットに含まれることを確認することができ、３ビットは、フィードバック情報のみに対して要求される。ＭＣＳレベルインデックスがＣＱＩに用いられると、ＣＱＩは次のように３ビットとして表すことができる。
【００８３】
ＣＱＩ  ｉｎｄｅｘ：ＸＸＸ００
これと同様に、表３のサブセット３（Ｓｕｂｓｅｔ３）を参照すると、ＭＣＳサブセットは、ＭＣＳセットのＭＣＳレベルのうちＭＣＳレベルインデックスの最小限に重要なビットから同一の３ビットを有するＭＣＳレベルを含むように構成される。したがって、総４ＭＣＳレベルがＳＲＮ単位情報を基準にして８ｄＢを有するＭＣＳサブセットに含まれることを確認することができ、２ビットは、フィードバック情報のみに対して要求される。ＭＣＳレベルインデックスがＣＱＩに用いられると、ＣＱＩは次のように２ビットとして表すことができる。
【００８４】
ＣＱＩ  ｉｎｄｅｘ：ＸＸ０００
結果的に、速いチャネル変化によって送信ＳＮＲの急激な変動が要求されるときにＡＭＣ技法を適用する場合、ＭＣＳサブセットを使用すると、ＳＮＲ単位情報が全てのＭＣＳレベルを有するＭＣＳセットの場合より大きくなり、チャネル変化に効率的に対処することができる。さらに、移動局からのチャネル情報フィードバックを５ビットから４、３または２ビットに減少させる効果もある。
【００８５】
同一のＭＣＳサブセット構成方式で、他のＭＣＳサブセットが発生可能であることは明らかである。ＭＣＳサブセットは、表３の場合と区別される同一の一つ以上のビットを有するＭＣＳセットのＭＣＳレベルのうちＭＣＳレベルインデックスで最小限に重要なビットから同一の一つ以上のビットを有するＭＣＳレベルを含むように構成される。
【００８６】
例えば、表３のサブセット１は、ＭＣＳサブセットがＭＣＳレベルインデックスで最小限に重要なビットの‘０’を有するＭＣＳレベルを含むように構成される。もちろん、ＭＣＳサブセットは、ＭＣＳレベルインデックスの最小限に重要なビットの‘１’を有するＭＣＳレベルを含むように構成されることもある。
【００８７】
これと同一の方法で、ＭＣＳサブセットは、ＭＣＳインデックスの最小限に重要なビットを除外するように構成されることもある。
【００８８】
実施例２−３：サービスチャネル種類によるＭＣＳサブセット構成方法
本実施例に係るＭＣＳサブセット構成方法によると、サービスチャネル別にＭＣＳサブセットを設定することができる。すなわち、移動局が使用しようとするサービスチャネルによって全てのＭＣＳレベルが必要でない場合、必要な一部のＭＣＳレベルで構成されたＭＣＳサブセットを使用することができる。これによって、データ送受信時に、フィードバックの量を減少させたり、性能を改善したり、送受信複雑度を低下させることができる。
【００８９】
このとき、サービスの種類は、移動局から送信されるフィードバック情報を通して、上述したチャネル品質情報と一緒に伝送される使用者要請サービス情報を通して確認することができる。以下、表４は、５ビット大きさのＭＣＳセットでサービスチャネルの種類によってＭＣＳサブセットを構成する方法の一例を表す。
【００９０】
【表４−１】
2010517464.tif 000009
【００９１】
【表４−２】
2010517464.tif 000010
【００９２】
表４に表したように、一つ以上のサービスチャネル種類に対してサービスタイプを定義し、サービスタイプ別にＭＣＳサブセットを構成することができる。以下、表５は、サービスタイプ定義方法の一例を表す。
【００９３】
【表５】
2010517464.tif 000011
【００９４】
表５において、サービスタイプ１は、一つの移動局を目標にしてデータを伝送する単一トラフィック（Ｕｎｉｃａｓｔ  ｔｒａｆｆｉｃ）において閉−ループ送受信方式を使用する場合に定義され、サービスタイプ２は、単一トラフィックにおいて開−ループ送受信方式を使用する場合に定義される。そして、サービスタイプ３は、多数の移動局が同時に受けるべき多重トラフィック（Ｍｕｌｔｉｃａｓｔ  ｔｒａｆｆｉｃ）の場合に定義され、サービスタイプ４は、全ての移動局が受けるべき放送トラフィック（Ｂｒｏａｄｃａｓｔ  ｔｒａｆｆｉｃ）の場合に定義される。
【００９５】
単一トラフィック場合には、全てのＭＣＳレベルを使用するＭＣＳセットを適用することでＡＭＣ技法を適用すると、最も良いシステム収率を期待することができる。特に、低速利用者とフィードバック情報が必要なビームフォーミング、プリコーディングなどの方式を使用する閉ループシステムは、フィードバックオーバーヘッドの大きいＭＣＳレベル全体を使用することが好ましい。したがって、表４に表したように、サービスタイプ１に対しては５ビット大きさのＭＣＳセットを使用することができる。
【００９６】
そして、単一トラフィックの他の場合には、高速利用者とＣＱＩを除いたフィードバック情報が必要でないダイバーシティなどの方式を使用する開ループシステムでは、フィードバックオーバーヘッドの少ないＭＣＳサブセットを使用することができる。したがって、表４に表したように、サービスタイプ２に対しては４ビット大きさのＭＣＳセットを使用することができる。
【００９７】
しかしながら、一つ以上の移動局が同時に受けるべき多重トラフィックまたは放送トラフィックの場合、ＭＣＳレベルを最大限に小さく構成するＭＣＳサブセットを使用したときにロバストなデータ送信が可能になる。したがって、表４に表したように、サービスタイプ３及びサービスタイプ４に対しては、それぞれ３ビット大きさのＭＣＳサブセット及び２ビット大きさのＭＣＳサブセットを使用することができる。
【００９８】
実施例２−４：電力制御と結合された適応的変調及び符号化技法
本実施例に係る無線通信システムでの適応的変調及び符号化技法遂行方法によると、前記移動局に選択されたＭＣＳレベルを適用することでデータを伝送する場合、電力制御を一緒に伝送することができる。
【００９９】
ＭＣＳサブセットを使用する場合、粗い（ｃｏａｒｓｅ）ＳＮＲ単位情報によって迅速なリンク適応が可能になり、フィードバックオーバーヘッドを減少させることができる。そして、本実施例によってＭＣＳサブセットを電力制御と連動して使用することで、粗いＳＮＲ単位情報によってリンク適応エラーが発生する問題を解決することができる。すなわち、ＭＣＳサブセット使用時、チャネル条件の急激な変化によって、現在使用中のＭＣＳサブセットの単位情報としては必要な送信ＳＮＲに該当するＭＣＳレベルを選択できない場合、電力制御の単位情報を調整して補完することが可能である。
【０１００】
例えば、現在のシステムでＳＮＲ単位情報が８ｄＢである場合、チャネルの突然の変動によって現在使用するＭＣＳ単位情報がチャネル条件を正しく反映できないことがある。この場合には、既存の１ｄＢ電力制御の代わりに２ｄＢやそれ以上の電力制御単位情報を使用することで、ＭＣＳサブセット使用時に発生する問題を克服することができる。以下、表６は、ＭＣＳセットと電力制御を同時に使用可能なＭＣＳサブセットを構成する方法の一例を表す。
【０１０１】
【表６−１】
2010517464.tif 000012
【０１０２】
【表６−２】
2010517464.tif 000013
【０１０３】
例えば、２ｄＢ  ＳＮＲ単位情報を有するＭＣＳサブセット、すなわち、表５のサブセット１を使用しながら０ｄＢまたは−１ｄＢの電力制御ファクターを使用すると、全てのＭＣＳレベルを使用するＭＣＳセットと同一のＳＮＲ単位情報を有する形態で適用することができる。
【０１０４】
実施例２−５：基地局環境によるＭＣＳサブセット構成方法
本実施例によると、基地局環境、例えば、基地局別使用者数によってＭＣＳサブセットを構成することができる。例えば、多重セル環境で使用者の多い基地局ではＭＣＳサブセットを使用し、使用者の少ない基地局では全体のＭＣＳレベルを使用することができる。
【０１０５】
ＯＦＤＭＡ無線通信システム下の多重セル環境で使用者の多い基地局ではフィードバックオーバーヘッドの負担が大きいので、このような方法でＭＣＳサブセットを使用すると、移動局からのフィードバック情報量を減少させることができる。
【０１０６】
一般的に、ＡＭＣ技法を運営するにおいて、変調方式と符号化率は、網でのトラフィック管理やリアルタイムサービス支援側面で基地局が決定する。したがって、基地局は、移動局のフィードバックオーバーヘッドを減少させるための一つの方法として、使用者別チャネル環境と使用者サービス類型によって全体のＭＣＳレベルを使用するか、ＭＣＳサブセットを使用して一部のＭＣＳレベルのみを使用するかを決定することができる。また、チャネル変化が速い場合には、より大きいＳＮＲ単位情報がフィードバックオーバーヘッドを減少させながらチャネル環境をよく反映することができる。
【０１０７】
実施例２−６：不規則ＭＣＳサブセット構成方法
ＭＣＳサブセットの決定において、特定の規則にしたがう方法でなく、不規則に選択する方法も可能である。より詳細な実施例を挙げると、一定のｋ  ｄＢ間隔で構成されているＭＣＳセットは、一定のＳＮＲ区間ではｋ間隔を維持するが、他の区間では、ｋより大きいｄＢ間隔でＭＣＳレベルを選択してＭＣＳサブセットを構成することができる。
【０１０８】
また、チャネルの周波数選択性の高いチャネルの場合、各変調方式別に（例えば、ＱＰＳＫ、１６ＱＡＭ、６４ＱＡＭ）低いチャネル符号化率を有するＭＣＳレベルのみを選択してＭＣＳサブセットを構成することもできる。このように低いチャネル符号化率を有するＭＣＳレベルのみを選択してサブセットを構成する場合、周波数ダイバーシティ利得を極大化することができる。
【０１０９】
以下、表７は、５ビット大きさのＭＣＳセットでＳＮＲによって選択間隔を異なるように適用し、ＭＣＳサブセットを構成する方法の一例を表す。
【０１１０】
【表７−１】
2010517464.tif 000014
【０１１１】
【表７−２】
2010517464.tif 000015
【０１１２】
表７は、サブセットによって低いＳＮＲ領域に小さいＳＮＲ間隔を有するようにＭＣＳレベルを設定する場合と、その反対の場合を表している。表７では、全てのＭＣＳサブセットが同一に４ビットを有するが、本発明では、ＭＣＳサブセットの大きさに制限がなく、各サブセット別に大きさが小さいこともある。
【０１１３】
すなわち、表７では、各サブセットを、低いＳＮＲ領域、中間ＳＮＲ領域、高いＳＮＲ領域内の微細な（ｆｉｎｅ）ＳＮＲ間隔大きさでＭＣＳレベルを決定することで選択し、残りのＳＮＲ領域内の粗いＳＮＲ間隔大きさでＭＣＳレベルを決定することで選択する方法を表すことができる。このようなサブセット構成方法を使用すると、ＣＱＩタイプ別にフィードバック量を減少させながらも性能の低下をなくすように選択することができる。以下、表８は、多重セル環境で使用者の位置によって各ＣＱＩタイプを定義した方法を表す。
【０１１４】
【表８】
2010517464.tif 000016
【０１１５】
一般的に、ＡＭＣ技法は、瞬間的なチャネル状態の値を有してＭＣＳレベルを定めるが、移動速度の低い移動局の場合、ＳＮＲ領域は大いに変わることが難しい。したがって、主に使用されるＳＮＲ領域では小さいＳＮＲ間隔を使用し、主に使用されないＳＮＲ領域では、大きいＳＮＲ間隔を使用する。さらに、ＭＣＳサブセットを長い時間周期で変えて使用すると、フィードバックの量を減少させながら性能の低下をなくすことができる。
【０１１６】
本発明は、上述したＭＣＳサブセット構成方法のみならず、多様な方法でＭＣＳサブセットを構成する場合にも適用可能である。
【０１１７】
実施例３：ＭＣＳサブセット選択のためのフィードバック方式
本実施例に係る無線通信システムでの適応的変調及び符号化技法遂行方法によると、ＭＣＳサブセットを用いる場合、アップリンクフィードバック情報のために割り当てられたアップリンク資源の全部または一部を使用することができる。
【０１１８】
例えば、ＭＣＳサブセットとして表３のサブセット２が設定された場合、ＣＱＩは下記のように３ビットとして表すことができる。
【０１１９】
ＣＱＩ  ｉｎｄｅｘ：ＸＸＸ００
この場合、アップリンクフィードバック情報を伝送するとき、３ビットの‘ＸＸＸ’として伝送することもでき、全体のＭＣＳセット使用するときと同一の５ビットの‘ＸＸＸ００’として伝送することもできる。
【０１２０】
これは、ＭＣＳサブセット使用するにもかかわらず、ＭＣＳサブセットを使用していない場合と同一のフィードバックオーバーヘッドを有するように最大のＣＱＩビットを使用可能であることを表す。ＭＣＳサブセットを使用してフィードバックオーバーヘッドを減少できるにもかかわらず、フィードバックチャネルの複雑度を低下させるために同一のフィードバック形式を使用し、データ送受信のためには、そのサブセットを使用するようにＭＣＳサブセットを構成することができる。
【０１２１】
本発明は、本発明の精神及び必須的特徴を逸脱しない範囲で他の特定の形態に具体化されることが当業者にとって自明である。したがって、上述した詳細な説明は、全ての面で制限的に解析されてはならなく、例示的なものとして考慮されるべきである。本発明の範囲は、添付された特許請求の範囲の合理的な解析によって決定されるべきで、本発明の等価的範囲内での全ての変更は本発明の範囲に含まれる。
【図１】
2010517464.tif 000017
【国際調査報告】
2010517464.tif 000018
2010517464.tif 000019
2010517464.tif 000020